(57)【特許請求の範囲】
【請求項１】
ネットワークにおける少なくとも１つのユーザ機器（user equipment）に対する協調マルチポイント送信（ＣｏＭＰ）のプリコーディングベクトルを決定する方法において、
前記ユーザ機器にサービスするサービングセルとＣｏＭＰのための協働セルとの間のセル間相関特性を含む、ＣｏＭＰのためのチャネル状態情報を前記ユーザ機器から受信し、
前記チャネル状態情報に基づいてＣｏＭＰのプリコーディングベクトルを決定し、
前記チャネル状態情報が、前記サービングセルと前記ユーザ機器との間の第１の自己相関チャネル特性をさらに含むことを特徴とする、プリコーディングベクトルを決定する方法。
【請求項２】
前記ネットワークが、前記第１の自己相関チャネル特性および前記セル間相関特性を用いることにより、前記協働セルと前記ユーザ機器との間の第２の自己相関チャネル特性を推定することを特徴とする請求項１に記載の方法。
【請求項３】
前記チャネル状態情報が、前記協働セルと前記ユーザ機器との間の第２の自己相関チャネル特性をさらに含むことを特徴とする請求項１に記載の方法。
【請求項４】
前記セル間相関特性が、前記サービングセルから前記ユーザ機器への第１の送信チャネル行列と前記協働セルから前記ユーザ機器への第２の送信チャネル行列との間の相関によって得られる相互相関チャネル行列によって表されることを特徴とする請求項１ないし３のいずれか１項に記載の方法。
【請求項５】
前記サービングセルおよび前記協働セルに対するプリコーディング行列インデクス（ＰＭＩ）が、ジョイントチャネル行列およびジョイント相関行列を用いて前記ユーザ機器によって選択され、前記ジョイントチャネル行列は、前記サービングセルから前記ユーザ機器への第１の送信チャネル行列および前記協働セルから前記ユーザ機器への第２の送信チャネル行列によって構成され、前記ジョイント相関行列は、前記相互相関チャネル行列、前記サービングセルの第１の自己相関チャネル行列および前記協働セルの第２の自己相関チャネル行列によって構成されることを特徴とする請求項４に記載の方法。
【請求項６】
前記ユーザ機器が、ＰＭＩ情報と、該ＰＭＩ情報よりも長期のチャネル行列情報とをフィードバックし、該チャネル行列情報が、少なくとも前記サービングセルの相互相関チャネル行列および自己相関チャネル行列を含み、前記ＰＭＩ情報が、前記サービングセルに対するＰＭＩおよび前記協働セルに対するＰＭＩを含むことを特徴とする請求項５に記載の方法。
【請求項７】
前記ユーザ機器が、ＰＭＩ情報と、該ＰＭＩ情報よりも広帯域のチャネル行列情報とをフィードバックし、該チャネル行列情報が、少なくとも前記サービングセルの相互相関チャネル行列および自己相関チャネル行列を含み、前記ＰＭＩ情報が、前記サービングセルに対するＰＭＩおよび前記協働セルに対するＰＭＩを含むことを特徴とする請求項５に記載の方法。
【請求項８】
ネットワークにおける少なくとも１つのユーザ機器に対する協調マルチポイント送信（ＣｏＭＰ）のプリコーディングベクトルを決定するシステムにおいて、
前記ユーザ機器にサービスするサービングセルとＣｏＭＰのための協働セルとの間のセル間相関特性を含む、ＣｏＭＰのためのチャネル状態情報を前記ユーザ機器から受信する受信機と、
前記チャネル状態情報に基づいてＣｏＭＰのプリコーディングベクトルを決定するスケジューラと
を備え、前記チャネル状態情報が、前記サービングセルと前記ユーザ機器との間の第１の自己相関チャネル特性をさらに含むことを特徴とする、プリコーディングベクトルを決定するシステム。
【請求項９】
前記スケジューラが、前記第１の自己相関チャネル特性および前記セル間相関特性を用いることにより、前記協働セルと前記ユーザ機器との間の第２の自己相関チャネル特性を推定することを特徴とする請求項８に記載のシステム。
【請求項１０】
前記チャネル状態情報が、前記協働セルと前記ユーザ機器との間の第２の自己相関チャネル特性をさらに含むことを特徴とする請求項８に記載のシステム。
【請求項１１】
セルラネットワークにおける基地局において、請求項８ないし１０のいずれか１項に記載のシステムを備えたことを特徴とする基地局。
【請求項１２】
セルラネットワークにおけるユーザ機器において、
前記ユーザ機器にサービスするサービングセルとＣｏＭＰのための協働セルとの間のセル間相関特性を含む、ＣｏＭＰのためのチャネル状態情報を生成するチャネル推定器と、
前記チャネル状態情報を前記サービングセルへ送信する送信機と
を備え、前記チャネル状態情報が、前記サービングセルと前記ユーザ機器との間の第１の自己相関チャネル特性をさらに含むことを特徴とするユーザ機器。
【請求項１３】
前記チャネル状態情報が、前記協働セルと前記ユーザ機器との間の第２の自己相関チャネル特性をさらに含むことを特徴とする請求項１２に記載のユーザ機器。
【請求項１４】
前記セル間相関特性が、前記サービングセルから前記ユーザ機器への第１の送信チャネル行列と前記協働セルから前記ユーザ機器への第２の送信チャネル行列との間の相関によって得られる相互相関チャネル行列によって表されることを特徴とする請求項１２または１３に記載のユーザ機器。
【請求項１５】
前記サービングセルおよび前記協働セルに対するプリコーディング行列インデクス（ＰＭＩ）が、ジョイントチャネル行列およびジョイント相関行列を用いることにより選択され、前記ジョイントチャネル行列は、前記サービングセルから前記ユーザ機器への第１の送信チャネル行列および前記協働セルから前記ユーザ機器への第２の送信チャネル行列によって構成され、前記ジョイント相関行列は、前記相互相関チャネル行列、前記サービングセルの第１の自己相関チャネル行列および前記協働セルの第２の自己相関チャネル行列によって構成されることを特徴とする請求項１４に記載のユーザ機器。
【請求項１６】
前記ユーザ機器が、ＰＭＩ情報と、該ＰＭＩ情報よりも長期のチャネル行列情報とをフィードバックし、該チャネル行列情報が、少なくとも前記サービングセルの相互相関チャネル行列および自己相関チャネル行列を含み、前記ＰＭＩ情報が、前記サービングセルに対するＰＭＩおよび前記協働セルに対するＰＭＩを含むことを特徴とする請求項１５に記載のユーザ機器。
【請求項１７】
前記ユーザ機器が、ＰＭＩ情報と、該ＰＭＩ情報よりも広帯域のチャネル行列情報とをフィードバックし、該チャネル行列情報が、少なくとも前記サービングセルの相互相関チャネル行列および自己相関チャネル行列を含み、前記ＰＭＩ情報が、前記サービングセルに対するＰＭＩおよび前記協働セルに対するＰＭＩを含むことを特徴とする請求項１５に記載のユーザ機器。
【請求項１８】
セルラネットワークにおけるユーザ機器におけるフィードバック方法において、
前記ユーザ機器にサービスするサービングセルとＣｏＭＰのための協働セルとの間のセル間相関特性を含む、ＣｏＭＰのためのチャネル状態情報を生成し、
前記チャネル状態情報を前記サービングセルへ送信し、
前記チャネル状態情報が、前記サービングセルと前記ユーザ機器との間の第１の自己相関チャネル特性をさらに含むことを特徴とするフィードバック方法。
【請求項１９】
ネットワークにおける少なくとも１つのユーザ機器に対する協調マルチポイント送信（ＣｏＭＰ）のプリコーディングベクトルを決定するシステムとしてプログラム制御プロセッサを機能させる、記録媒体に保存されたコンピュータ可読プログラムにおいて、
前記ユーザ機器にサービスするサービングセルとＣｏＭＰのための協働セルとの間のセル間相関特性を含む、ＣｏＭＰのためのチャネル状態情報を前記ユーザ機器から受信し、
前記チャネル状態情報に基づいてＣｏＭＰのプリコーディングベクトルを決定し、
前記チャネル状態情報が、前記サービングセルと前記ユーザ機器との間の第１の自己相関チャネル特性をさらに含むことを特徴とするコンピュータ可読プログラム。
【請求項２０】
ＣｏＭＰのためのチャネル状態情報をネットワークへ送信するユーザ機器としてプログラム制御プロセッサを機能させる、記録媒体に保存されたコンピュータ可読プログラムにおいて、
前記ユーザ機器にサービスするサービングセルとＣｏＭＰのための協働セルとの間のセル間相関特性と、前記サービングセルと前記ユーザ機器との間の第１の自己相関チャネル特性と、を含む前記チャネル状態情報を生成し、
前記チャネル状態情報を前記サービングセルへ送信ことを特徴とするコンピュータ可読プログラム。
【発明の詳細な説明】
【技術分野】
【０００１】
本発明は、一般に無線通信システムに関し、より詳細には、ダウンリンク（downlink, ＤＬ）協調マルチポイント送信（coordinated multipoint transmission, ＣｏＭＰ）のためのプリコーディングベクトルの選択およびフィードバックを含むプリコーディング技法に関する。
【背景技術】
【０００２】
データ送信レート、セルカバレジおよび平均セルスループットを改善するために、ＭＩＭＯ（Multiple Input Multiple Output, 多入力多出力）技術が広く用いられている。ＭＩＭＯはプリコーディング技法を使用する。プリコーディング技法は、ユーザ端末から受信されたフィードバック情報に基づいてプリコーディングベクトルを適応的に制御する（例えば特許文献１）。
【０００３】
最近、ＬＴＥ（Long Term Evolution）−Ａｄｖａｎｃｅｄ標準が第４世代システム（４Ｇ）のために策定されつつある。この標準では、非特許文献１のセクション８に示されているように、システムパフォーマンス要求におけるかなり意欲的な目標が、特にダウンリンク（ＤＬ）およびアップリンク（uplink, ＵＬ）の両方に対するスペクトル効率に関して規定されている。セル端ユーザスループットおよび平均セルスループットの目標は、ＬＴＥリリース８（Ｒｅｌ８）よりも概してはるかに高く設定されており、これを考慮すると、ＬＴＥ−Ａｄｖａｎｃｅｄ技法における主要な候補として協調送信が必然的に含まれると考えられる。
【０００４】
非特許文献２のセクション８に記載されているように、協調マルチポイント送受信は、高データレートのカバレジやセル端スループットを改善するため、および／または、高負荷および低負荷の両方の状況におけるシステムスループットを向上させるためのツールとして、ＬＴＥ−Ａｄｖａｎｃｅｄに対して考慮されている。協調マルチポイント送受信用のポイントは、セル、基地局、ノードＢ、ｅＮＢ、リモート無線機器（remote radio equipment, ＲＲＥ）、分散アンテナ等として使用可能である。
【０００５】
３ＧＰＰ  ＲＡＮ１  ｓｔｕｄｙ  ｉｔｅｍの検討によれば、協調マルチポイント送信（ＣｏＭＰ）をサポートするための追加的なフィードバック方式が必要とされ、ＣｏＭＰのために設計されたフィードバックはＬＴＥリリース８／９のためのフィードバックと良好な後方互換性を有すべきであることが合意された。さらに、非特許文献２のセクション７．３に記載されているように、ＣｏＭＰのためのフィードバック設計は、ＬＴＥ−ＡｄｖａｎｃｅｄにおけるＳＵ（single user, シングルユーザ）−ＭＩＭＯ送信とＭＵ（Multi user, マルチユーザ）−ＭＩＭＯ送信との間の単一セル動的切替をサポートする高度化されたフィードバックフレームワークと整合すべきである。
【０００６】
ＬＴＥリリース８／９では、ユーザ機器（user equipment, ＵＥ）がチャネル状態情報（channel state information, ＣＳＩ）を測定し、そのサービングセルにフィードバックする。非特許文献２のセクション８．１．１に規定されているように、サービングセルは、物理ダウンリンク制御チャネル（physical downlink control channel, ＰＤＣＣＨ）をＵＥへ送信するセルとして定義される。フィードバックＣＳＩは、リリース８コードブックのＵＥ推奨プリコーディング行列インデクス（precoding matrix index, ＰＭＩ）、信号対干渉雑音比（signal-to-interference plus noise ratio, ＳＩＮＲ）に関するチャネル品質インデクス（channel quality index, ＣＱＩ）、および単一セルＳＵ−ＭＩＭＯ送信を最適化（例えばスループット最大化）するためのランクインジケータ（rank indicator, ＲＩ）を含む。ｅＮＢは、直接にフィードバックＰＭＩ／ＲＩを用いてプリコーディング送信を実行する。フィードバックＣＱＩはチャネル依存スケジューリングのために使用される。
【０００７】
ＬＴＥ−Ａｄｖａｎｃｅｄの場合、単一セル動的ＳＵ／ＭＵ−ＭＩＭＯ送信がサポートされることが要求される。これにより、ＳＵ−ＭＩＭＯ送信とＭＵ−ＭＩＭＯ送信を、例えばＴＴＩごとまたはフレームごとに動的に切り替えることができる。以下、これを単一セルＳＵ／ＭＵ−ＭＩＭＯ送信と称する。単一セル動的ＳＵ／ＭＵ−ＭＩＭＯのための高度化フィードバック方式が非特許文献３および非特許文献４に提案されている。そこでは、短期ＣＱＩ／ＰＭＩ／ＲＩに加えて、サービングセルの長期の自己相関（auto-correlationあるいはself-correlation）チャネル行列がフィードバックされる。長期（例えば５０ｍｓ、１００ｍｓまたは１ｓ）および／またはワイドバンド（例えばシステム帯域幅全体）の自己相関チャネル行列は、チャネルの準静的（semi-static）および／または周波数非選択的な相関特性を捕捉する。短期（例えば１ｍｓ、５ｍｓまたは１０ｍｓ）および／またはサブバンドＣＱＩ／ＰＭＩ／ＲＩは、瞬間的および／または周波数選択的なチャネルを表すために使用される。高度化フィードバックに基づいて、ｅＮＢは、ＳＵ−ＭＩＭＯおよびＭＵ−ＭＩＭＯのそれぞれに対するプリコーディングベクトルを決定することができる。ＳＵ−ＭＩＭＯ送信およびＭＵ−ＭＩＭＯ送信は、長期および短期のフィードバックに基づいて、より高い達成可能なデータレートを選択することによって、動的に（例えばＴＴＩごとに）切り替えることができる。
【０００８】
ＬＴＥ−Ａｄｖａｎｃｅｄ  ＤＬ  ＣｏＭＰについて、非特許文献５は、セルごとの長期および短期のＰＭＩ／ＲＩ／ＣＱＩをフィードバックする方式を開示している。これは、単一セルＳＵ／ＭＵ−ＭＩＭＯ送信に対する高度化フィードバックの単純な拡張である。ｅＮＢは、セルごとのフィードバックＣＳＩを用いて、各セルに対するプリコーディングベクトルを選択する。セルごとの長期フィードバックは、サービングセルおよび隣接セル（ＣｏＭＰの場合は協働セルとみなされる）のそれぞれの自己相関チャネル行列を含む。セルごとの短期ＰＭＩ／ＲＩ／ＣＱＩフィードバックは、サービングセルおよび隣接セルにおける単一セル送信と同様に選択される。しかし、個々のセルに対するこのようなプリコーディングベクトル選択は、個別のプリコーディングであり、セル間干渉が考慮されていない。したがって、非特許文献５に記載されたようなＤＬ  ＣｏＭＰフィードバックのための方式は、ＳＵ／ＭＵ−ＭＩＭＯ送信による個別のプリコーディングしかサポートすることができない。同様に、特許文献２は、個別のプリコーディングをサポートするフィードバック方式を使用するマルチセル協調送信方法を開示しているが、これは非特許文献５のＤＬ  ＣｏＭＰフィードバックのための方式と同様である（特許文献２、段落０１０６、第１５欄参照）。
【先行技術文献】
【特許文献】
【０００９】
【特許文献１】特開２００９−１０７５２号公報
【特許文献２】特開２０１０−４５７８３号公報
【非特許文献】
【００１０】
【非特許文献１】3GPP TR 36.913 v9.0.0, Requirements for further advancements for Evolved Universal Terrestrial Radio Access (E-UTRA) (LTE-Advanced), Dec. 2009. http://www.3gpp.org/ftp/Specs/archive/36_series/36.913/
【非特許文献２】3GPP TR 36.814 (V2.0.1), "Further Advancements for E-UTRA Physical Layer Aspects," http://www.3gpp.org/ftp/Specs/archive/36_series/36.814/
【非特許文献３】R1-101062, Huawei
【非特許文献４】R1-1000852, Ericsson
【非特許文献５】R1-094243, NTT DOCOMO
【発明の概要】
【発明が解決しようとする課題】
【００１１】
上記の方式は、動的ＳＵ／ＭＵ−ＭＩＭＯによるＣｏＭＰ個別プリコーディングをサポートするための、単純なＣｏＭＰフィードバック拡張の概念を提示している。ｅＮＢ側で、スケジューラは、ＳＵ−ＭＩＭＯによるＣｏＭＰ個別プリコーディングまたはＭＵ−ＭＩＭＯによるＣｏＭＰ個別プリコーディングのためのプリコーディングベクトルを動的に選択する自由度を有する。しかし、個別プリコーディングは、セル間干渉を考慮していない。その結果、ＣｏＭＰ個別プリコーディングのパフォーマンスはＣｏＭＰジョイントプリコーディング（joint precoding）よりも悪くなる。
【００１２】
本発明の目的は、より少ないフィードバックオーバーヘッドでＤＬ  ＣｏＭＰパフォーマンスを改善するＣｏＭＰジョイントプリコーディングを達成することができるような、プリコーディングベクトル決定方法およびシステムを提供することである。
【課題を解決するための手段】
【００１３】
本発明によれば、ネットワークにおける少なくとも１つのユーザ機器に対する協調マルチポイント送信（ＣｏＭＰ）のプリコーディングベクトルを決定する方法は、前記ユーザ機器にサービスするサービングセルとＣｏＭＰのための協働セルとの間のセル間相関特性を含む、ＣｏＭＰのためのチャネル状態情報を前記ユーザ機器から受信するステップと、前記チャネル状態情報に基づいてＣｏＭＰのプリコーディングベクトルを決定ステップとを有し、前記チャネル状態情報が、前記サービングセルと前記ユーザ機器との間の第１の自己相関チャネル特性をさらに含む。
【００１４】
本発明によれば、ネットワークにおける少なくとも１つのユーザ機器に対する協調マルチポイント送信（ＣｏＭＰ）のプリコーディングベクトルを決定するシステムは、前記ユーザ機器にサービスするサービングセルとＣｏＭＰのための協働セルとの間のセル間相関特性を含む、ＣｏＭＰのためのチャネル状態情報を前記ユーザ機器から受信する受信機と、前記チャネル状態情報に基づいてＣｏＭＰのプリコーディングベクトルを決定するスケジューラとを有し、前記チャネル状態情報が、前記サービングセルと前記ユーザ機器との間の第１の自己相関チャネル特性をさらに含む。
【発明の効果】
【００１５】
本発明によれば、ＤＬ  ＣｏＭＰパフォーマンスにおける有効な改善を、より少量のフィードバックオーバーヘッドで達成することができる。
【００１６】
本発明およびその効果をより完全に理解するためには、添付図面とともに以下の説明を参照されたい。図中、同じ参照符号は同じ部分を表す。
【図面の簡単な説明】
【００１７】
【図１】図１は本発明の例示的実施形態による無線通信システムにおけるＳＵ−ＭＩＭＯ送信によるＣｏＭＰを例示する模式図である。
【図２】図２は本発明の例示的実施形態による無線通信システムにおけるＭＵ−ＭＩＭＯ送信によるＣｏＭＰ  ＪＴを例示する模式図である。
【図３】図３は本発明の上記の例示的実施形態の１つによる無線通信システムにおける基地局を例示するブロック図である。
【図４】図４は図３に示す基地局の送信機を例示するブロック図である。
【図５】図５は本発明の上記の例示的実施形態の１つによる無線通信システムにおけるユーザ機器を例示するブロック図である。
【図６】図６は図３に示す基地局におけるプリコーディング・スケジューリングプロセスを例示するフローチャートである。
【図７】図７は図５に示すユーザ機器におけるＣＳＩフィードバックプロセスを例示するフローチャートである。
【図８】図８は図６および図７に示すシステム動作を説明するためのＳＵ−ＭＩＭＯ送信を例示する模式図である。
【図９】図９は図６および図７に示すシステム動作を説明するためのＭＵ−ＭＩＭＯ送信を例示する模式図である。
【図１０】図１０は図６および図７に示すシステム動作を説明するためのＳＵ−ＭＩＭＯ送信によるｅＮＢ内ＣｏＭＰ  ＪＴを例示する模式図である。
【図１１】図１１は図６および図７に示すシステム動作を説明するためのＳＵ−ＭＩＭＯ送信によるｅＮＢ間ＣｏＭＰ  ＪＴを例示する模式図である。
【図１２】図１２は図６および図７に示すシステム動作を説明するためのＭＵ−ＭＩＭＯ送信によるｅＮＢ内ＣｏＭＰ  ＪＴを例示する模式図である。
【図１３】図１３は図６および図７に示すシステム動作を説明するためのＭＵ−ＭＩＭＯ送信によるｅＮＢ間ＣｏＭＰ  ＪＴを例示する模式図である。
【図１４】図１４は図６および図７に示すシステム動作を説明するためのｅＮＢ内ＣｏＭＰ  ＣＢを例示する模式図である。
【図１５】図１５は図６および図７に示すシステム動作を説明するためのｅＮＢ間ＣｏＭＰ  ＣＢを例示する模式図である。
【発明を実施するための形態】
【００１８】
本発明の好ましい実施形態について、添付図面を参照することにより説明する。本発明の原理を説明するために用いられる実施形態は単なる例示であり、いかなる意味でも本発明の範囲を限定するものと解釈すべきではない。当業者には理解されるように、本発明の原理は任意の適宜構成されたワイヤレスネットワークにおいて実施可能である。
【００１９】
１．例示的実施形態
本発明の例示的実施形態による無線通信システムにおいては、データ送信側が、シングルユーザ（ＳＵ）−ＭＩＭＯによるジョイント送信（joint transmission, ＪＴ）とマルチユーザ（ＭＵ）−ＭＩＭＯによるＪＴとの間を動的に切り替えながら、ダウンリンク（ＤＬ）協調マルチポイント送信（ＣｏＭＰ）のためのプリコーディングベクトルを選択すると仮定する。協調ビームフォーミング（coordinated beam-forming, ＣＢ）は、ＣｏＭＰ  ＪＴ  ＭＵ−ＭＩＭＯの簡単な例であるが、ＣＢを動的切替動作に追加してもよい。ＣｏＭＰ  ＣＢの場合、ＵＥのサービングセルのみがデータをＵＥへ送信するので、ＵＥの隣接セル（あるいは協働セル）からのセル間干渉が最小化される。これに対して、ＣｏＭＰ  ＪＴの場合、サービングセルおよび隣接セルの両方がデータをＵＥへ送信する。
【００２０】
後述するように、サービングセルおよび隣接セルの自己相関チャネル行列に加えて、ターゲットユーザ機器（ＵＥ）のサービングセルと隣接セルとの間の相互相関（あるいはセル間相関）行列を用いることにより、コヒーレントなジョイント送信信号を改善すること、および／または、セル間干渉およびさらなるフィードバックオーバーヘッドを最小化することが可能となる。
【００２１】
上記のＣｏＭＰカテゴリに対し、プリコーディングベクトルは、以下のチャネル状態情報（ＣＳＩ）に基づいて選択される。
（１）ＵＥのサービングセルと隣接セルとの間の相互相関チャネル行列、および
（２）サービングセルの自己相関チャネル行列、隣接セルの自己相関チャネル行列、サービングセルに対するＵＥ選択ＰＭＩ／ＲＩ／ＣＱＩ、および隣接セルに対するＵＥ選択ＰＭＩ／ＲＩ／ＣＱＩ、を含むセルごとのＣＳＩ。
【００２２】
本発明の別の実施形態として、このような方式は、ＵＥが少なくとも以下の情報をフィードバックすることによってサポートされてもよい。
ａ）サービングセルと隣接セルの送信チャネル間の長期および／またはワイドバンドの相互相関チャネル行列、
ｂ）サービングセルの長期および／またはワイドバンドの自己相関行列、
ｃ）サービングセルの短期および／またはサブバンドのＰＭＩ／ＲＩ／ＣＱＩ、
ｄ）隣接セルの短期および／またはサブバンドのＰＭＩ／ＲＩ／ＣＱＩ。
【００２３】
後で詳細に説明するように、隣接セルの自己相関行列は、ＣｏＭＰのためのプリコーディングベクトルを選択するためにも必要とされる。簡単な方法は、隣接セルの長期および／またはワイドバンドの自己相関行列を直接にフィードバックすることである。相関行列に対するフィードバックオーバーヘッドは、長期フィードバック期間および／またはワイドバンド平均スペクトルによって効率的に低減することができるが、それでもなお、非特許文献５によって提案されたようなセルごとのフィードバックに比べて追加的なフィードバックオーバーヘッドが生じる。フィードバックオーバーヘッドをさらに低減するため、サービングセルの自己相関行列、および、サービングセルと隣接セルの送信チャネル間の相互相関チャネル行列を用いることにより、隣接セルの自己相関行列を推定することができる。
【００２４】
上記のプリコーディングベクトル選択および対応するフィードバック方式を用いることにより、セル間干渉を考慮して動的ＣｏＭＰ  ＪＴ  ＳＵ／ＭＵ−ＭＩＭＯ（ＣｏＭＰ  ＣＢを含んでもよい）を実現し、実質的にフィードバックオーバーヘッドを増大させることなくＣｏＭＰパフォーマンスを改善することができる。
【００２５】
図１は、ＳＵ−ＭＩＭＯ送信によるｅＮＢ内／ｅＮＢ間ＣｏＭＰ  ＪＴ（あるいはＣｏＭＰ  ＳＵ  ＪＴ）を示している。図１において、サービングセルおよび協働セルをそれぞれ参照符号ＡおよびＢで表す。なお、サービングセルＡおよび協働セルＢは、単一の基地局（ｅＮＢ）によって制御されても、相異なるｅＮＢによって制御されてもよい。単一のｅＮＢがサービングセルおよび協働セルを制御する場合、ＳＵ−ＭＩＭＯ送信によるｅＮＢ内ＣｏＭＰ  ＪＴと称する。相異なるｅＮＢがそれぞれサービングセルおよび協働セルを制御する場合、ＳＵ−ＭＩＭＯ送信によるｅＮＢ間ＣｏＭＰ  ＪＴと称し、これらのｅＮＢはＸ２インタフェースを通じて相互に通信することができる。この例では、Ｘ２インタフェースについて説明するが、Ｓ１インタフェースのような他のインタフェースも、ｅＮＢ間での情報交換のために使用可能である。この技術分野において、ポイントおよびセルは同じ意味を有することが可能なので、サービングポイント、協働ポイントおよびポイント間相関は、それぞれサービングセル、協働セルおよびセル間相関と解釈することができる。
【００２６】
ＳＵ−ＭＩＭＯ送信によるＣｏＭＰ  ＪＴの場合、ＵＥ（ｉ）宛のデータはサービングセルＡおよび協働セルＢから同時に送信される。ＵＥ（ｉ）に対するプリコーディングベクトルは、ＵＥ（ｉ）からフィードバックされたＣＳＩに基づいて決定される。この例では、ＣＳＩフィードバックは、サービングセルＡの自己相関チャネル行列、協働セルＢの自己相関チャネル行列、サービングセルＡに対するＵＥ選択ＰＭＩ／ＲＩ／ＣＱＩ、および協働セルＢに対するＵＥ選択ＰＭＩ／ＲＩ／ＣＱＩに加えて、サービングセルＡと協働セルＢとの間の相互相関チャネル行列Ｒｉａｂを含む。
【００２７】
すなわち、図１に示すように、サービングセルＡおよび協働セルＢがパイロット信号１００ａおよび１００ｂを送信し、ＵＥ（ｉ）がそれらを受信する。受信したパイロット信号に基づいて、ＵＥ（ｉ）は、サービングセルＡからＵＥ（ｉ）への送信チャネル行列Ｈｉａおよび協働セルＢからＵＥ（ｉ）への送信チャネル行列Ｈｉｂを推定する。これらの行列ＨｉａおよびＨｉｂを用いて、ＵＥ（ｉ）は、自己相関チャネル行列Ｒｉａ＝Ｅ｛（Ｈｉａ）ＨＨｉａ｝、自己相関チャネル行列Ｒｉｂ＝Ｅ｛（Ｈｉｂ）ＨＨｉｂ｝、および相互相関チャネル行列Ｒｉａｂ＝Ｅ｛（Ｈｉａ）ＨＨｉｂ｝を計算する。自己相関チャネル行列ＲｉａおよびＲｉｂは、上記のように、サービングセルＡとＵＥ（ｉ）との間および協働セルＢとＵＥ（ｉ）との間のチャネルの相関特性のみを捕捉する。相互相関チャネル行列Ｒｉａｂは、ＨｉａとＨｉｂとの間のセル間相関特性を表す。本実施形態によれば、自己相関チャネル行列ＲｉａおよびＲｉｂに加えて、相互相関チャネル行列ＲｉａｂもサービングセルＡへ返送される。Ｒｉａ、Ｒｉｂ、およびＲｉａｂから得られるジョイント相関チャネル行列＾Ｒｉａ＋ｂ（後述）を用いて、ジョイントプリコーディングベクトルが選択される。これにより、セル間相関特性を考慮して、セル間干渉を最小にしながら、ＤＬ  ＣｏＭＰにおけるセル間協調のためのプリコーディングベクトル選択を行うことができる。
【００２８】
ＵＥ（ｉ）において、サービングセルＡおよび協働セルＢに対するＣＱＩは、サービングセルＡおよび協働セルＢからそれぞれ受信されるパイロット信号に基づいて測定される。サービングセルＡに対するＰＭＩｉａは、ＨｉａおよびＲｉａを用いて、サービングセルＡに対するプリコーディングベクトルコードブックから選択される。協働セルＢに対するＰＭＩｉｂは、＾Ｈｉａ＋ｂおよび＾Ｒｉａ＋ｂ（後述）を用いて、協働セルＢに対するプリコーディングベクトルコードブックから選択される。ただし、＾Ｈｉａ＋ｂは、ＨｉａおよびＨｉｂによって構成されるジョイント送信チャネル行列である。
【００２９】
上記のように、ＵＥ（ｉ）はＣＳＩをサービングセルＡにフィードバックする。ＣＳＩは、長期および／またはワイドバンドにおける＾Ｒｉａ＋ｂ（ここでは、Ｒｉａｂ、Ｒｉａ、Ｒｉｂによって表される）と、短期および／またはサブバンドにおける選択されたＰＭＩ／ＲＩ／ＣＱＩに関する情報を含む。
【００３０】
図２は、ＭＵ−ＭＩＭＯ送信によるｅＮＢ内／ｅＮＢ間ＣｏＭＰ  ＪＴ（あるいはＣｏＭＰ  ＭＵ  ＪＴ）を示している。図２において、サービングセルおよび協働セルをそれぞれ参照符号ＡおよびＢで表す。なお、サービングセルＡおよび協働セルＢは、単一の基地局（ｅＮＢ）によって制御されても、相異なるｅＮＢによって制御されてもよい。単一のｅＮＢがサービングセルおよび協働セルを制御する場合、ＭＵ−ＭＩＭＯ送信によるｅＮＢ内ＣｏＭＰ  ＪＴと称する。相異なるｅＮＢがそれぞれサービングセルおよび協働セルを制御する場合、ＭＵ−ＭＩＭＯ送信によるｅＮＢ間ＣｏＭＰ  ＪＴと称し、これらのｅＮＢはＸ２インタフェースを通じて相互に通信することができる。
【００３１】
図２に示すようなＭＵ−ＭＩＭＯによるＣｏＭＰ  ＪＴの場合、ＵＥ（ｉ）およびＵＥ（ｋ）がＵＥペアとみなされる。ＵＥ（ｉ）およびＵＥ（ｋ）宛のそれぞれのデータは、ＵＥ（ｉ）およびＵＥ（ｋ）が同じサービングセルを有するか相異なるサービングセルを有するかにかかわらず、同じ割り当てられたリソースブロック上でサービングセルＡおよび協働セルＢの両方から同時に送信される。ＵＥ（ｉ）およびＵＥ（ｋ）がサービングセルＡをサービングセルとする場合、ＵＥ（ｉ）およびＵＥ（ｋ）はそれらのＣＳＩｉおよびＣＳＩｋをサービングセルＡにフィードバックする。ＵＥ（ｉ）およびＵＥ（ｋ）がそれぞれ相異なるサービングセルＡおよびＢを有する場合、ＵＥ（ｉ）はそのＣＳＩｉを直接にサービングセルＡにフィードバックし、ＵＥ（ｋ）はそのＣＳＩｋを直接にサービングセルＢにフィードバックする。
【００３２】
ＵＥ（ｉ）に対するチャネル推定・フィードバックプロセスは、上記のＳＵ−ＭＩＭＯによるＣｏＭＰ  ＪＴと同じである。ＵＥ（ｉ）に対するのと同じプロセスがＵＥ（ｋ）で実行される。これにより、ＵＥ（ｉ）およびＵＥ（ｋ）の両方からのフィードバックＣＳＩを、ＭＵ−ＭＩＭＯプリコーディングベクトル選択のために取得することができる。ＵＥ（ｉ）およびＵＥ（ｋ）に対するプリコーディングベクトルは、＾Ｒｉａ＋ｂおよび＾Ｒｋａ＋ｂ（後述）を用いることによって同時に決定することができる。
【００３３】
２．無線通信システム
図３に示すように、本実施形態による基地局（ｅＮＢ）２００は、送信機２０１、スケジューラ２０２、受信機２０３、ならびに送信機２０１および受信機２０３に接続されたアンテナセット２０４を備える。送信機２０１および受信機２０３は、アンテナ２０４を通じて各ユーザ機器（ＵＥ）３００と通信するために使用される。送信機２０１は、パイロット信号（あるいは基準信号）とＵＥのデータを送信し、受信機２０３は、ＵＥからＣＳＩフィードバックを受信する。スケジューラ２０２は、フィードバック短期ＰＭＩ／ＲＩを長期フィードバック＾Ｒｉａ＋ｂとともに直接に用いて、プリコーディングベクトル（＾Ｗａ＋ｂｉ，ＳＵ）または［＾Ｗａ＋ｂｉ，ＭＵ  ＾Ｗａ＋ｂｋ，ＭＵ］、後述）を求める。自セルおよび／または他セルに属するＵＥからのフィードバックＣＱＩは、スケジューラ２０２におけるチャネル依存スケジューリングのために使用される。送信機２０１、スケジューラ２０２および受信機２０３は、メモリ（図示せず）に保存されたプログラムを実行するＣＰＵ（中央処理装置）のようなプログラム制御プロセッサ（図示せず）によって制御されてもよい。スケジューラ２０２は、図６に示すようなプリコーディングベクトル選択・スケジューリングプログラムを実行することによって、プログラム制御プロセッサ上に実現されてもよい。
【００３４】
図４に示すように、送信機２０１は、チャネル符号器２１０、変調器２１１、プリコーダ２１２、リソースマッピング部２１３およびＩＦＦＴ（逆高速フーリエ変換）２１４を有する。プリコーダ２１２は、スケジューラ２０２によって決定された、選択されたプリコーディングベクトルに従ってプリコーディングを実行する。ＵＥ（ｉ）のデータはまず、チャネル符号器２１０で符号化され、変調器２１１で変調されてから、プリコーダ２１２で、選択されたプリコーディングベクトルを用いてプリコーディングされる。ＵＥ（ｉ）のプリコーディングされたデータは、リソースマッピング部２１３で、割り当てられたリソースブロックにマッピングされてから、ＩＦＦＴ２１４によって処理される。最後に、ＩＦＦＴ２１４の出力がアンテナセット２０４を通じて送信される。
【００３５】
図５に示すように、ユーザ機器（ＵＥ）３００は、送信機３０１、チャネル推定器３０２、受信機３０３、ならびに送信機３０１および受信機３０３に接続されたアンテナセット３０４を備える。受信機３０３は、アンテナセット３０４を通じて、パイロット信号とデータをサービングセルＡおよび隣接セルＢから受信する。チャネル推定器３０２は、長期／ワイドバンド相関行列および短期／サブバンドＰＭＩ／ＲＩ／ＣＱＩを推定する。送信機３０１は、アンテナセット３０４を通じて、推定されたＣＳＩをサービングセルＡにフィードバックする。送信機３０１、チャネル推定器３０２および受信機３０３は、メモリ（図示せず）に保存されたプログラムを実行するＣＰＵ（中央処理装置）のようなプログラム制御プロセッサ（図示せず）によって制御されてもよい。チャネル推定器３０２は、図７に示すようなチャネル推定プログラムを実行することによって、プログラム制御プロセッサ上に実現されてもよい。なお、ＵＥ３００は、ｅＮＢ２００のスケジューラ２０２と同じ機能を備えてもよく、ｅＮＢ２００は、ＵＥ３００のチャネル推定器３０２と同じ機能を備えてもよい。
【００３６】
３．プリコーディングベクトル選択・スケジューリングプロセスの概要
ＤＬ  ＣｏＭＰ  ＪＴの場合、サービングセルＡおよび隣接セルＢの両方でＵＥ（ｉ）のデータを共有することが要求される。一方、ＤＬ  ＣｏＭＰ  ＣＢの場合は、データは共有されず、ＵＥのサービングセルのみから送信される。以下、ｅＮＢ内およびｅＮＢ間のＳＵ−ＭＩＭＯによるＣｏＭＰ  ＪＴ、ＭＵ−ＭＩＭＯによるＣｏＭＰ  ＪＴ、およびＣｏＭＰ  ＣＢをそれぞれサポートするプリコーディングベクトル選択・フィードバック方法を提案する。ｅＮＢ内および／またはｅＮＢ間のセル間干渉を最小化して、最大のユーザスループット（データレート）を達成することができる。
【００３７】
以下、図６を参照することにより、本実施形態による基地局（ｅＮＢ）２００におけるプリコーディングベクトル選択・スケジューリング動作について説明する。ここで、ｅＮＢ２００のスケジューラ２０２は集中型スケジューラであり、単一セルＳＵ−ＭＩＭＯ、単一セルＭＵ−ＭＩＭＯ、ＳＵ−ＭＩＭＯによるＣｏＭＰ  ＪＴ、およびＭＵ−ＭＩＭＯによるＣｏＭＰ  ＪＴの間で動的選択を実行すると仮定する。ＣｏＭＰ  ＣＢは、ＭＵ−ＭＩＭＯによるＣｏＭＰ  ＪＴの簡単な例である。便宜上、さらに、ＵＥ（ｉ）およびＵＥ（ｊ）がｅＮＢ２００のセルＡに属し、ＵＥ（ｋ）が隣接セルＢに属し、ＵＥ（ｉ）がターゲットＵＥであると仮定する。セルＡを制御するｅＮＢにおけるスケジューラ２０２は、図６に示した集中型スケジューラである。前述のように、セルＡおよびセルＢは、同じ基地局（ｅＮＢ）によって制御されても、相異なるｅＮＢによって制御されてもよい。
【００３８】
図６において、ｅＮＢ受信機２０３が、そのセルＡに属するＵＥからフィードバックＣＳＩを受信する（ステップ４０１Ａ）。セルＢによってサービスされるＵＥについては、フィードバックＣＳＩはセルＢによって受信されてからセルＡへ転送される（ステップ４０１Ｂ）。セルＡおよびセルＢが相異なるｅＮＢを有する場合、セルＢのｅＮＢによって受信されたフィードバックＣＳＩはＸ２バックホールを通じてセルＡのｅＮＢへ転送される。
【００３９】
次に、相異なるリソースブロック（resource block, ＲＢ）上での相異なるＵＥの受信ＣＱＩに従って、スケジューラ２０２は、リソース割当てのための比例フェアネス（proportional fairness, ＰＦ）メトリックを計算する。ここで、ＰＦ基準が例として用いられるが、最大ＣＱＩメトリック、ＱｏＳ等の他の基準もリソース割当てのために使用可能である。リソース割当ては、ＲＢごとに実行される。最高のＰＦメトリックを有する未割当てＲＢがターゲットＲＢとして選択される（ステップ４０２）。単一セルＳＵ−ＭＩＭＯ、単一セルＭＵ−ＭＩＭＯ、ＳＵ−ＭＩＭＯによるＣｏＭＰ  ＪＴ、およびＭＵ−ＭＩＭＯによるＣｏＭＰ  ＪＴの間で動的選択の以下のプロセスのために、ターゲットＲＢ上で、最高優先度を有するＵＥがターゲットＵＥとして選択される（ステップ４０３）。スケジューラ２０２は、単一セルＭＵ−ＭＩＭＯ、単一セルＳＵ−ＭＩＭＯ、ＳＵ−ＭＩＭＯによるＣｏＭＰ  ＪＴ、およびＭＵ−ＭＩＭＯによるＣｏＭＰ  ＪＴのそれぞれについて、データレートを計算する（ステップ５０１〜５０４、ステップ６０１〜６０２、ステップ７０１〜７０２、およびステップ８０１〜８０４）。これについては後述する。
【００４０】
すべての上記の計算されたデータレートを比較して、スケジューラ２０２は、選択された未割当てＲＢ（ステップ４０４でターゲットＲＢとみなされる）上で、選択されたＵＥに対する最大データレートを有する最適な送信方式を決定する。動的送信方式選択の後、ターゲットＲＢが、最適方式に基づいて割り当てられる（ステップ４０５）。未割当てＲＢが残っている場合（ステップ４０６のＮＯ）、スケジューラ２０２の制御はステップ４０２に戻る。すなわち、スケジューリングは、すべてのＲＢが割り当てられるまで終了しない。
【００４１】
すべてのＲＢが割り当てられた場合（ステップ４０６のＹＥＳ）、送信機２０１は、動的に選択された最適方式により、各ＲＢ上でＵＥのデータを送信し、スケジューラ２０２は、そのスケジューリング結果を隣接セルＢに通知する（ステップ４０７）。すなわち、ＣｏＭＰ  ＪＴおよびＣｏＭＰ  ＣＢの場合、セルＡにおけるスケジューラ２０２は、スケジューリング結果を協働セルＢに通知する必要がある。ＳＵ−ＭＩＭＯまたはＭＵ−ＭＩＭＯによるＣｏＭＰ  ＪＴの場合、協働セルＢは、サービングセルＡと同期すべきであり、割り当てられたＲＢ上でＵＥのデータを同時に送信する。
【００４２】
このような動的選択は、長期のみならず短期のフィードバック情報に基づいているので、最適な送信方式が、短期フィードバック周期（例えば、５ｍｓ、１０ｍｓ等）と同じ頻度で更新される。
【００４３】
次に、データレート計算（ステップ５０１〜５０４、ステップ６０１〜６０２、ステップ７０１〜７０２、およびステップ８０１〜８０４）について説明する。単一セルＭＵ−ＭＩＭＯの場合、スケジューラ２０２は、選択されたＵＥとペアになるＵＥをセルＡ内で見つける（ステップ５０１）。その後、スケジューラ２０２は、プリコーディングベクトルを決定し（ステップ５０２）、単一セルＭＵ−ＭＩＭＯ送信でＵＥペアが達成可能なデータレートを計算する（ステップ５０３）。セルＡ内で他のいずれかのＵＥが、選択されたＵＥとペアになることができる場合（ステップ５０４のＹＥＳ）、スケジューラ２０２の制御はステップ５０１に戻る。選択されたＵＥとペアになることができる他のＵＥがない場合（ステップ５０４のＮＯ）、スケジューラ２０２の制御はステップ４０４に進む。
【００４４】
単一セルＳＵ−ＭＩＭＯの場合、スケジューラ２０２は、プリコーディングベクトルを決定し（ステップ６０１）、単一セルＳＵ−ＭＩＭＯ送信で達成可能なデータレートを計算する（ステップ６０２）。その後、スケジューラ２０２の制御はステップ４０４に進む。
【００４５】
ＳＵ−ＭＩＭＯによるＣｏＭＰ  ＪＴの場合、隣接セルＢに属するＵＥのフィードバックＣＳＩが要求される。スケジューラ２０２は、プリコーディングベクトルを決定し（ステップ７０１）、ＳＵ−ＭＩＭＯによるＣｏＭＰ  ＪＴで達成可能なレートを計算する（ステップ７０２）。その後、スケジューラ２０２の制御はステップ４０４に進む。
【００４６】
ＭＵ−ＭＩＭＯによるＣｏＭＰ  ＪＴの場合、スケジューラ２０２は、選択されたＵＥとペアになるＵＥをセルＢ内で見つける（ステップ８０１）。その後、スケジューラ２０２は、プリコーディングベクトルを決定し（ステップ８０２）、ＭＵ−ＭＩＭＯ送信によるＣｏＭＰ  ＪＴで達成可能なデータレートを計算する（ステップ８０３）。セルＢ内で他のいずれかのＵＥが、選択されたＵＥとペアになることができる場合（ステップ８０４のＹＥＳ）、スケジューラ２０２の制御はステップ８０１に戻る。選択されたＵＥとペアになることができる他のＵＥがない場合（ステップ８０４のＮＯ）、スケジューラ２０２の制御はステップ４０４に進む。ＣｏＭＰ  ＣＢのデータレートも同様に推定することができて、スケジューラ２０２はＵＥペアに対してプリコーディングベクトルを選択する。
【００４７】
最適送信方式が単一セルＳＵ−ＭＩＭＯ送信である場合、サービングセルＡにおけるターゲットＲＢが、選択されたＵＥに割り当てられる。単一セルＭＵ−ＭＩＭＯ送信の場合、ターゲットＲＢが、選択されたＵＥおよびその選択されたＵＥとペアになるＵＥに割り当てられる。ＳＵ−ＭＩＭＯ送信によるＣｏＭＰ  ＪＴの場合、選択されたＵＥが、サービングセルＡおよび隣接セルＢの両方で割り当てられたターゲットＲＢを有する。ＭＵ−ＭＩＭＯによるＣｏＭＰ  ＪＴについては、選択されたＵＥとペアになるＵＥも、同時に、セルＡおよびセルＢで割り当てられたターゲットＲＢを有する。ＣｏＭＰ  ＣＢの場合、サービングセルＡにおけるターゲットＲＢのみが、選択されたＵＥに割り当てられる一方で、隣接セルＢにおけるターゲットＲＢのみが、ペアになるＵＥに割り当てられる。
【００４８】
４．ＣＳＩフィードバックプロセスの概要
図７を参照して、セルＡによってサービスされるＵＥ（ｉ）を例として、ＵＥ側でのＣＳＩフィードバックプロセスについて説明する。受信機３０３が、アンテナセット３０４を通じて、セルＡからのパイロット信号と隣接セルＢからのパイロット信号とを受信する（ステップ９０１および９０２）。
【００４９】
チャネル推定器３０２が、まず、サービングセルＡとＵＥ（ｉ）との間のチャネル行列Ｈｉａ、および、隣接セルＢとＵＥ（ｉ）との間のＨｉｂを推定する（ステップ９０３および９０４）。Ｈｉａを用いることにより、サービングセルＡの自己相関チャネル行列をＲｉａ＝Ｅ｛（Ｈｉａ）ＨＨｉａ｝として計算する。これは、ワイドバンドおよび／または長期期間にわたって平均される（ステップ９０５）。同様にして、Ｈｉｂを用いることにより、隣接セルＢの自己相関チャネル行列をＲｉｂ＝Ｅ｛（Ｈｉｂ）ＨＨｉｂ｝として計算する（ステップ９０６）。ＲｉａおよびＲｉｂに加えて、サービングセルＡと隣接セルＢとの間の相互相関行列がＲｉａｂ＝Ｅ｛（Ｈｉａ）ＨＨｉｂ｝として得られる（ステップ９０７）。
【００５０】
次に、チャネル推定器３０２は、得られたＨｉａ、Ｈｉｂ、Ｒｉａ、ＲｉｂおよびＲｉａｂを用いて、セルＡおよびセルＢに対するＰＭＩ／ＲＩ／ＲＩをそれぞれ選択する（ステップ９０８、９０９）。推定されたＲｉａおよびＨｉａを用いて、サービングセルＡにおけるＳＵ−ＭＩＭＯ送信を仮定して、短期／サブバンドＰＭＩ／ＲＩを決定することができる。他方、｛Ｈｉａ，Ｈｉｂ｝および｛Ｒｉａ，Ｒｉｂ，Ｒｉａｂ｝を用いることにより、ＳＵ−ＭＩＭＯによるＣｏＭＰ  ＪＴを仮定して、隣接セルＢに対する短期ＰＭＩ／ＲＩを決定することができる。各サブバンド（例えばリソースブロック）上での対応するＣＱＩは、推定されたチャネル行列および決定されたプリコーディングベクトルを用いて、ＵＥによって推定される。
【００５１】
最後に、ＵＥが、長期／ワイドバンドの相関行列および短期／サブバンドのＰＭＩ／ＲＩ／ＣＱＩを含むＣＳＩを、送信機３０１からアンテナセット３０４を通じてサービングセルＡにフィードバックする（ステップ９１０）。
【００５２】
５．動作の詳細
５．１）単一セルＳＵ−ＭＩＭＯの場合
図８は、単一セルＳＵ−ＭＩＭＯ送信の例を示している。この場合、基地局（ｅＮＢ）２００がセルＡを制御し、セルＡはＵＥ３００（以下、ＵＥ（ｉ）とする）のサービングセルである。前述のように、ｅＮＢ２００およびＵＥ３００の送受信機構造は、図３〜図５に例示されている。ＬＴＥリリース８／９において、ＵＥ（ｉ）へ送信するデータは上位層からサービングセルＡのみに割り当てられ、サービングセルＡが、割り当てられたデータをＵＥ（ｉ）へ送信する。
【００５３】
便宜上、ＵＥ（ｉ）がターゲットＵＥであると仮定する。図８の単一セルＳＵ−ＭＩＭＯ送信の場合、ｅＮＢ２００のスケジューラ２０２が、ターゲットＵＥのサービングセルＡのフィードバック長期自己相関行列Ｒｉａおよび短期ＰＭＩ／ＲＩに基づいて、プリコーディングベクトルを次式のように選択し、対応するデータレートを計算する（図６のステップ６０１および６０２参照）。
【００５４】
【数１】
0005505676.tif 000002
【００５５】
５．２）単一セルＭＵ−ＭＩＭＯの場合
図９は、単一セルＭＵ−ＭＩＭＯ送信の例を示している。この場合、ＵＥ３００およびＵＥ３１０（以下、それぞれＵＥ（ｉ）およびＵＥ（ｊ）とする）が両方ともセルＡによってサービスされ、ＵＥ（ｉ）およびＵＥ（ｊ）のペアが、ＭＵ−ＭＩＭＯ送信のためのＵＥペアとみなされ、セルＡが、同じ割り当てられたリソースブロック上でＵＥ（ｉ）およびＵＥ（ｊ）のデータを送信する。多重化されたＵＥからのセル内干渉は、ｅＮＢ送信機２０１におけるアンテナビームフォーミングを用いることにより最小化することができる。
【００５６】
図９のＭＵ−ＭＩＭＯによる単一セル送信を実現するため、スケジューラ２０２は、ＵＥ（ｉ）とペアになるようなＵＥ（ｊ）を見つけ、プリコーディングベクトルを次式のように選択する。
【００５７】
【数２】
0005505676.tif 000003
【００５８】
【数３】
0005505676.tif 000004
ただし、ＮＴＸａはセルＡのアンテナセット２０４内のアンテナの個数であり、εはノイズ増大を避けるためのゼロフォーシング（ＺＦ）に対する調整因子である。簡単のため、ＭＵ−ＭＩＭＯに対するＵＥごとのランクは１に等しいと仮定する。単一セルＭＵ−ＭＩＭＯ送信のプロセスは、セルＡによってサービスされる最良のＵＥペアが見つかり最大レートを達成したときに終了する（図６のステップ５０１〜５０４参照）。
【００５９】
５．３）ＳＵ−ＭＩＭＯによるｅＮＢ内ＣｏＭＰ  ＪＴの場合
図１０を参照すると、サービングセルＡおよび隣接セルＢは、同じｅＮＢ２００に属する。サービングセルＡはｅＮＢ２００の送信器２０１からアンテナセット２０４を通じてＵＥ（ｉ）へパイロット信号（あるいは基準信号）を送信する。ＵＥ（ｉ）の受信機３０３がセルＡからパイロット信号を受信すると、チャネル推定器３０２が、受信したパイロット信号に基づいて、セルＡからＵＥ（ｉ）の送信チャネル行列Ｈｉａを推定する。同じプロセスを実行して、隣接セルＢからＵＥ（ｉ）への送信チャネル行列Ｈｉｂを推定する。セルＡとセルＢとの間のＤＬ  ｅＮＢ内ＣｏＭＰの場合、送信チャネル行列ＨｉａおよびＨｉｂを用いることにより、ジョイント送信チャネル行列＾Ｈｉａ＋ｂが次式のように構成される。
【００６０】
【数４】
0005505676.tif 000005
ただし、αｉａｂ＝Ｐｉｂ／Ｐｉａであり、ＰｉａおよびＰｉｂは、それぞれサービングセルＡおよび隣接セルＢから受信されるパイロット信号の平均受信信号パワー（例えば、ＬＴＥリリース８／９におけるＲＳＲＰ）である。式（１）の左辺を本文中では＾Ｈｉａ＋ｂで示す。式（１）の右辺におけるギリシャ文字αをalphaで表すことがある。これにより、＾Ｈｉａ＋ｂの自己相関ジョイントチャネル行列が次式のように定義される。
【００６１】
【数５】
0005505676.tif 000006
【００６２】
式（１）を（２）に代入することにより、自己相関ジョイントチャネル行列が次式のように得られる。
【００６３】
【数６】
0005505676.tif 000007
ただし、Ｒｉａ＝Ｅ｛（Ｈｉａ）ＨＨｉａ｝はＨｉａの自己相関チャネル行列であり、Ｒｉｂ＝Ｅ｛（Ｈｉｂ）ＨＨｉｂ｝はＨｉｂの自己相関チャネル行列であり、Ｒｉａｂ＝Ｅ｛（Ｈｉａ）ＨＨｉｂ｝はＨｉａとＨｉｂの相互相関チャネル行列である。ＮＴＸａおよびＮＴＸｂはそれぞれ、セルＡおよびセルＢのアンテナセット２０４内のアンテナの個数である。以下、式（３）の左辺を本文中では＾Ｒｉａ＋ｂで示す。従来の方式（非特許文献５）では、ＲｉａおよびＲｉｂのみが、セルごとの長期フィードバックとしてフィードバックされる。しかし、ＲｉａおよびＲｉｂは、セルＡとＵＥ（ｉ）との間のチャネルＨｉａの相関特性、および、セルＢとＵＥ（ｉ）との間のチャネルＨｉｂの相関特性を捕捉するだけである。ＨｉａとＨｉｂとの間のセル間相関特性（Ｒｉａｂで表される）が、セル間干渉を最小化してＤＬ  ＣｏＭＰにおけるセル間協調を実現するようにプリコーディングベクトルを選択するために要求される。
【００６４】
ＳＵ−ＭＩＭＯによるｅＮＢ内ＣｏＭＰ  ＪＴの場合、ＵＥ（ｉ）のデータが、サービングセルＡおよび協働セルＢから同時に送信される。ＵＥ（ｉ）に対するジョイントプリコーディングベクトルが、＾Ｒｉａ＋ｂを用いることにより次式のように決定される。
【００６５】
【数７】
0005505676.tif 000008
ただし、ＰＭＩｉａは、セルＡに対するプリコーディングベクトルコードブック（例えば、ＬＴＥリリース８コードブック）から選択された推奨プリコーディングベクトルのＰＭＩであり、ＰＭＩｉｂは、セルＢに対するプリコーディングベクトルコードブックから選択された推奨プリコーディングベクトルのＰＭＩである（図６のステップ７０１参照）。まず、ＰＭＩｉａおよびセルＡの送信に対するランクが、最大ユーザスループットを達成するために次式のように選択される。
【００６６】
【数８】
0005505676.tif 000009
ただし、ＮはＡＷＧＮ（加法性白色ガウス雑音）ノイズのパワーである。｛ＲＩｉａ，ＳＵ，ＰＭＩｉａ，ＳＵ｝がわかると、ＰＭＩｉｂおよびＣｏＭＰ  ＪＴ送信に対するランクが、最大ユーザスループットを達成するために次式のように選択される。
【００６７】
【数９】
0005505676.tif 000010
【００６８】
また、ＣＱＩが、ＵＥ（ｉ）のチャネル推定器３０２で計算される。その後、ＵＥ（ｉ）の送信機３０１は、ＵＥアンテナセット３０４を通じて、長期の＾Ｒｉａ＋ｂ（Ｒｉａｂに関する情報をフィードバックする方法については後述）および短期の選択されたＰＭＩ／ＲＩ／ＣＱＩに関する情報を含むＣＳＩをセルＡにフィードバックする。ｅＮＢ２００の受信機２０３は、アンテナセット２０４を通じてフィードバックＣＳＩを受信し、スケジューラ２０２は、受信したフィードバックＣＳＩを以下のプロセスのために入力する。スケジューラ２０２は、式（５）および（６）におけるフィードバック短期ＰＭＩ／ＲＩを長期フィードバック＾Ｒｉａ＋ｂとともに直接に用いて、式（４）のようにプリコーディングベクトルを求める。フィードバックＣＱＩは、スケジューラ２０２におけるチャネル依存スケジューリングのために使用される。図４に示したように、ＵＥ（ｉ）へ送信されるデータはまず、チャネル符号器２１０で符号化され、変調器２１１で変調されてから、プリコーダ２１２により、式（４）の＾Ｗａ＋ｂｉ，ＳＵを用いてプリコーディングされる。ＵＥ（ｉ）に対するプリコーディングされたデータは、リソースマッピング部２１３により、割り当てられたリソースブロックにマッピングされてから、ＩＦＦＴ２１４によって処理される。最後に、ＩＦＦＴ２１４の出力がアンテナセット２０４を通じて送信される。
【００６９】
５．４）ＳＵ−ＭＩＭＯによるｅＮＢ間ＣｏＭＰ  ＪＴの場合
図１１を参照すると、ＳＵ−ＭＩＭＯによるｅＮＢ間ＣｏＭＰ  ＪＴの場合、サービングセルＡおよび隣接セルＢは相異なるｅＮＢ２００および２２０に属し、これらはＸ２バックホールリンクを通じて相互に接続される。サービングセルＡのｅＮＢ２００におけるスケジューラ２０２は集中型スケジューラであり、ＵＥ（ｉ）はセルＡおよびセルＢに対するＣＳＩをｅＮＢ２００のスケジューラ２０２の入力としてセルＡに直接にフィードバックすると仮定する。プリコーディングベクトル選択プロセスは、上記のＳＵ−ＭＩＭＯによるｅＮＢ内ＣｏＭＰ  ＪＴの場合と同様に実行される。スケジューリング後、ｅＮＢ間情報およびスケジューリング結果（プリコーディングベクトル、割り当てられたリソースブロック、選択ＲＩ、変調符号化方式（Modulation and Coding Scheme, ＭＣＳ）等を含む）は、Ｘ２バックホールリンクを通じて、ｅＮＢ間ＣｏＭＰのためにセルＡのｅＮＢ２００とセルＢのｅＮＢ２２０との間で交換されなければならない。すなわち、ｅＮＢ間ＣｏＭＰは、２つの異なるｅＮＢ間のＸ２バックホールリンクを通じたセル間での情報交換に関してのみ、ｅＮＢ内ＣｏＭＰと異なる。
【００７０】
５．５）ＭＵ−ＭＩＭＯによるｅＮＢ内ＣｏＭＰ  ＪＴの場合
図１２を参照すると、ＭＵ−ＭＩＭＯによるｅＮＢ内ＣｏＭＰ  ＪＴの場合、ＵＥ３００およびＵＥ３２０のペアが、ＭＵ−ＭＩＭＯによるＣｏＭＰ  ＪＴのためのＵＥペアとみなされる。これらをそれぞれＵＥ（ｉ）およびＵＥ（ｋ）とする。ＵＥ（ｉ）およびＵＥ（ｋ）に対するデータは、同じ割り当てられたリソースブロック上でセルＡおよびセルＢの両方から同時に送信される。ただし、ＵＥ（ｉ）およびＵＥ（ｋ）は、相異なるサービングセルを有してもよい。ＵＥ（ｉ）に対するチャネル推定・フィードバックプロセスは、ＳＵ−ＭＩＭＯによるｅＮＢ内ＣｏＭＰ  ＪＴにおいて説明したのと同じである。ＵＥ（ｉ）と同じプロセスがＵＥ（ｋ）で実行される。セルＡおよびセルＢの同じｅＮＢで、ＵＥ（ｉ）およびＵＥ（ｋ）の両方からのフィードバックＣＳＩを、ＭＵ−ＭＩＭＯプリコーディングベクトル選択のために取得することができる。ＵＥ（ｉ）およびＵＥ（ｋ）に対するプリコーディングベクトルは、次式のように＾Ｒｉａ＋ｂおよび＾Ｒｋａ＋ｂを用いることにより同時に決定される。
【００７１】
【数１０】
0005505676.tif 000011
【００７２】
【数１１】
0005505676.tif 000012
ただし、簡単のため、ＭＵ−ＭＩＭＯに対するＵＥごとのランクは１に等しいと仮定する。ＵＥ（ｉ）およびＵＥ（ｋ）によって選択されたプリコーディングベクトルが相互に直交している場合、すなわち
【００７３】
【数１２】
0005505676.tif 000013
【００７４】
【数１３】
0005505676.tif 000014
である場合には、次式が得られる。
【００７５】
【数１４】
0005505676.tif 000015
【００７６】
【数１５】
0005505676.tif 000016
【００７７】
５．６）ＭＵ−ＭＩＭＯによるｅＮＢ間ＣｏＭＰ  ＪＴの場合
図１３を参照すると、ＭＵ−ＭＩＭＯによるｅＮＢ間ＣｏＭＰ  ＪＴの場合、サービングセルＡおよび隣接セルＢは相異なるｅＮＢ２００および２２０に属し、これらはＸ２バックホールリンクを通じて相互に接続される。ＵＥ３００およびＵＥ３３０はセルＡおよびセルＢによってサービスされる。これらをそれぞれＵＥ（ｉ）およびＵＥ（ｌ）とする。サービングセルＡのｅＮＢ２００におけるスケジューラ２０２は集中型スケジューラであり、ＵＥ（ｉ）はセルＡおよびセルＢに対するＣＳＩｉをｅＮＢ２００に直接にフィードバックし、一方で、ＵＥ（ｌ）はセルＡおよびセルＢに対するＣＳＩｌをそのサービングセルＢのｅＮＢ２２０に直接にフィードバックすると仮定する。ＵＥ（ｌ）のフィードバックＣＳＩｌは、ｅＮＢ２２０からＸ２バックホールリンクを通じてｅＮＢ２００へ転送される。プリコーディングベクトル選択プロセスは、上記のＭＵ−ＭＩＭＯによるｅＮＢ内ＣｏＭＰ  ＪＴの場合と同様に実行される。スケジューリング後、ｅＮＢ間情報およびスケジューリング結果（プリコーディングベクトル、割り当てられたリソースブロック、選択ＲＩ、変調符号化方式（ＭＣＳ）等を含む）は、Ｘ２バックホールリンクを通じて、ｅＮＢ間ＣｏＭＰのためにセルＡのｅＮＢ２００とセルＢのｅＮＢ２２０との間で交換されなければならない。すなわち、ｅＮＢ間ＣｏＭＰは、２つの異なるｅＮＢ間のＸ２バックホールリンクを通じたセル間での情報交換に関してのみ、ｅＮＢ内ＣｏＭＰと異なる。
【００７８】
５．７）ｅＮＢ内ＣｏＭＰ  ＣＢの場合
図１４を参照すると、ｅＮＢ内ＣｏＭＰ  ＣＢの場合、ＵＥ３００およびＵＥ３２０のペアが、ＭＵ−ＭＩＭＯによるＣｏＭＰ  ＪＴのためのＵＥペアとみなされる。これらをそれぞれＵＥ（ｉ）およびＵＥ（ｋ）とする。図１２とは異なり、ＵＥ（ｉ）に対するデータはそのサービングセルＡのみから送信され、ＵＥ（ｋ）に対するデータはサービングセルＢのみから送信される。したがって、図１４に示すようなＣｏＭＰ  ＣＢは、図１２のＭＵ−ＭＩＭＯによるＣｏＭＰ  ＪＴにおいて、セルＢからＵＥ（ｉ）への送信パワーとセルＡからＵＥ（ｋ）への送信パワーがオフにされた特殊な場合である。ＵＥ（ｉ）およびＵＥ（ｋ）に対するプリコーディングベクトルは、同じく次式のように＾Ｒｉａ＋ｂおよび＾Ｒｋａ＋ｂを用いることにより決定することができる。
【００７９】
【数１６】
0005505676.tif 000017
ただし、
【００８０】
【数１７】
0005505676.tif 000018
【００８１】
【数１８】
0005505676.tif 000019
【００８２】
５．８）ｅＮＢ間ＣｏＭＰ  ＣＢの場合
図１５を参照すると、ｅＮＢ間ＣｏＭＰ  ＣＢの場合、サービングセルＡおよび隣接セルＢは相異なるｅＮＢ２００および２２０に属し、これらはＸ２バックホールリンクを通じて相互に接続される。ＵＥ３００およびＵＥ３３０はセルＡおよびセルＢによってサービスされる。これらをそれぞれＵＥ（ｉ）およびＵＥ（ｌ）とする。サービングセルＡのｅＮＢ２００におけるスケジューラ２０２は集中型スケジューラであり、ＵＥ（ｉ）はセルＡおよびセルＢに対するＣＳＩｉをｅＮＢ２００に直接にフィードバックし、一方で、ＵＥ（ｌ）はセルＡおよびセルＢに対するＣＳＩｌをそのサービングセルＢのｅＮＢ２２０に直接にフィードバックすると仮定する。ＵＥ（ｌ）のフィードバックＣＳＩｌは、ｅＮＢ２２０からＸ２バックホールリンクを通じてｅＮＢ２００へ転送される。プリコーディングベクトル選択プロセスは、上記のｅＮＢ内ＣｏＭＰ  ＣＢの場合と同様に実行される。スケジューリング後、ｅＮＢ間情報およびスケジューリング結果（プリコーディングベクトル、割り当てられたリソースブロック、選択ＲＩ、変調符号化方式（ＭＣＳ）等を含む）は、Ｘ２バックホールリンクを通じて、ｅＮＢ間ＣｏＭＰのためにセルＡのｅＮＢ２００とセルＢのｅＮＢ２２０との間で交換されなければならない。すなわち、ｅＮＢ間ＣｏＭＰは、２つの異なるｅＮＢ間のＸ２バックホールリンクを通じたセル間での情報交換に関してのみ、ｅＮＢ内ＣｏＭＰと異なる。
【００８３】
５．９）フィードバックオーバーヘッドのさらなる低減
上記のプリコーディングベクトル選択を実現するためには、＾Ｒｉａ＋ｂを測定してＵＥ（ｉ）からフィードバックする必要がある。量子化された＾Ｒｉａ＋ｂを直接にフィードバックする代わりに、Ｒｉａ、ＲｉｂおよびＲｉａｂのような＾Ｒｉａ＋ｂの成分を量子化してフィードバックすることにより、フィードバックオーバーヘッドを低減することができる。
【００８４】
従来の方式（非特許文献５）におけるセルごとのフィードバックによれば、長期のＲｉａおよび短期のＰＭＩ／ＲＩ／ＣＱＩが、セルＡに対するＣＳＩとしてフィードバックされる一方、長期のＲｉｂおよび短期のＰＭＩ／ＲＩ／ＣＱＩが、セルＢに対するＣＳＩとしてフィードバックされる。しかし、従来の方式（非特許文献５）では、相互相関チャネル行列ＲｉａｂはｅＮＢで未知である。ＤＬ  ＣｏＭＰにおいてセル間干渉を最小化しセル間協調を実現するためには、セル間相関特性を示す追加的ＣＳＩとしてＲｉａｂをフィードバックする必要がある。簡単な方法は、セルごとのフィードバックに加えて、Ｒｉａｂを直接に量子化してフィードバックすることである。しかし、この場合、従来の方式（非特許文献５）よりもフィードバックオーバーヘッドが大きくなってしまう。
【００８５】
上記の動的ＣｏＭＰ  ＪＴ  ＳＵ／ＭＵ−ＭＩＭＯおよび／またはＣｏＭＰ  ＣＢの良好なパフォーマンスを達成しながらフィードバックオーバーヘッドをさらに低減するため、ＵＥ（ｉ）からの長期フィードバックとしてＲｉａおよびＲｉａｂのみをフィードバックする。Ｒｉｂはフィードバックされず、次式のようにＲｉａおよびＲｉａｂを用いることにより推定される。
【００８６】
【数１９】
0005505676.tif 000020
【００８７】
【数２０】
0005505676.tif 000021
ここで、ＮＲＸ個のアンテナを有するＵＥアンテナセット３０４は、ｅＮＢアンテナセット２０４よりもはるかに低いアンテナ高さを有するので、相異なるＵＥの受信アンテナから見たチャネルは、豊富な反射および屈折により無相関となる。このため、次式の近似を用いて式（１２）を導出することができる。
【００８８】
【数２１】
0005505676.tif 000022
【００８９】
フィードバックＲｉａ、Ｒｉａｂおよび式（１２）の推定されたＲ′ｉｂを用いることにより、＾Ｒｉａ＋ｂを次式のように近似することができる。
【００９０】
【数２２】
0005505676.tif 000023
【００９１】
したがって、スケジューラ２０２で、ＳＵ／ＭＵ−ＭＩＭＯによるｅＮＢ内動的ＣｏＭＰ  ＪＴおよび／またはＣｏＭＰ  ＣＢを、式（４）〜（１１）によって実現することができる。
【００９２】
６．他の例示的実施形態
６．１）上記の場合、パイロット信号（あるいは基準信号）が、セル間相関または自己相関行列を計算するために使用される。しかし、本発明はこれらの場合に限定されない。セル間相関または自己相関行列は、制御情報またはデータを伝送するチャネルを用いることにより計算することも可能である。制御情報を伝送するチャネルの例として物理ダウンリンク制御チャネル（ＰＤＣＣＨ）があり、データを伝送するチャネルの例として物理ダウンリンク共有チャネル（Physical Downlink Shared Channel, ＰＤＳＣＨ）がある。これらのチャネルを用いることにより、プリコーディングベクトルを、データ送信開始時だけでなくデータ送信中にも選択することができる。
【００９３】
６．２）上記の例示的実施形態において、プリコーディングベクトルは、セル間相関特性Ｒｉａｂならびに自己相関特性ＲｉａおよびＲｉｂを用いることにより決定されている。しかし、本発明はこれらの例示的実施形態に限定されない。セル間相関特性のみを用いることによって、前に選択されたプリコーディングベクトルを調整することが可能である。すなわち、前のデータ送信でいったんプリコーディングベクトルの候補が選択されたら、セル間相関特性のみを用いることによりプリコーディングベクトルを調整することができる。この場合、ＵＥは、Ｒｉａｂのみの情報を含むＣＳＩをフィードバックし、ｅＮＢはそれを用いることによりプリコーディングベクトルを選択する。Ｒｉａｂのような情報を含むＣＳＩが長期（例えば、５０ｍｓ、１００ｍｓまたは１ｓ）でフィードバックされ、自己相関特性ＲｉａおよびＲｉｂは数個の期間では実質的に変化しない。これにより、セル間相関特性のみを用いることによりプリコーディングベクトルを調整することができる。
【００９４】
６．３）高度化マルチユーザＭＩＭＯ送信をサポートするＵＥフィードバックは、２個の行列（Ｗｋ，ｋ＝１，２）を含む。Ｗ１は長期／ワイドバンドのプリコーディング行列であり、サービングセルからＵＥへのチャネル行列の自己相関を示す。Ｗ２は短期／サブバンドのプリコーディング行列であり、サービングセルからＵＥへのチャネルの周波数選択的特性を示す。サブバンドに対するプリコーダＷは、Ｗ１とＷ２の行列積として得られる（クロネッカー構造は特殊な場合である）。
【００９５】
ＣｏＭＰフィードバックメカニズムの３つの主要なカテゴリは以下の通りである。
・明示的なチャネル状態／統計情報のフィードバック
・送信機や受信機の処理を仮定せず、受信機によって観測される通りのチャネル
・暗黙的なチャネル状態／統計情報のフィードバック
・相異なる送受信処理（例えば、ＣＱＩ／ＰＭＩ／ＲＩ）の仮定を用いたフィードバックメカニズム
・チャネル相反性を利用してｅＮＢでＣＳＩ推定のためにＳＲＳのＵＥ送信を使用可能
【００９６】
上記の３つの全部または一部の組合せが可能である。
【００９７】
これらのタイプのフィードバックメカニズムを評価のために検討する。それぞれの特定のフィードバックメカニズムに関連するＵＬオーバーヘッド（ビット数）を識別する必要がある。与えられたパフォーマンスに対する最小のオーバーヘッドを目標として、フィードバックオーバーヘッド（ＵＬ）とＤＬパフォーマンスとのトレードオフを評価すべきである。
【００９８】
フィードバックを必要とするＣｏＭＰ方式の場合、個別のセルごとのフィードバックは必須と考えられる。単一セル高度化マルチユーザＭＩＭＯ送信のためのフィードバックフレーム構造に基づくＣｏＭＰに対する個別のセルごとのフィードバックのほかに、セル間フィードバックも必要である。セル間フィードバックは、サービングセルからＵＥへのチャネルと協働セルからＵＥへのチャネルとの間のセル間相関を示すワイドバンドの長期フィードバックである。セル間フィードバックを用いると、協働セルに対するワイドバンドの長期プリコーディング行列（これは、協働セルからＵＥへのチャネルの自己相関特性を示す）は、フィードバックオーバーヘッドをさらに低減するためには、フィードバックしなくてもよい。
【００９９】
Ｘ２インタフェースが利用可能であり、レイテンシおよび容量に関してＣｏＭＰの動作にとって十分であるときには、ＵＥ  ＣｏＭＰフィードバック報告は、サービングセルを（サービングセルからのＵＬリソースに関して）必須の宛先とする。この場合、サービングセル以外のセルでのＵＥ報告の受信は、ネットワーク実装の選択事項である。
【０１００】
Ｘ２インタフェースが利用可能でないか、（レイテンシおよび容量に関して）十分でない場合、およびサービングセルへのフィードバック報告がＣｏＭＰの動作にとって（例えば異種混合配備状況で）大きな干渉を生じる場合のフィードバック報告は検討する必要があり、必要に応じて解決法を見出さなければならない。
【産業上の利用可能性】
【０１０１】
本発明は、ＤＬ  ＣｏＭＰに対するプリコーディングベクトルの選択およびフィードバックを用いた移動通信システムに適用可能である。
【符号の説明】
【０１０２】
１００ａ，１００ｂ  ＤＬデータ送信
２００，２２０  基地局（ｅＮＢ）
２０１  送信機
２０２  スケジューラ
２０３  受信機
２０４  アンテナセット
２１０  チャネル符号器
２１１  変調器
２１２  プリコーダ
２１３  リソースマッピング部
２１４  ＩＦＦＴ
３００，３０１，３２０，３３０  ユーザ機器（ＵＥ）
３０１  送信機
３０２  チャネル推定器
３０３  受信機
３０４  アンテナセット
【図１】
0005505676.tif 000024
【図２】
0005505676.tif 000025
【図３】
0005505676.tif 000026
【図４】
0005505676.tif 000027
【図５】
0005505676.tif 000028
【図６】
0005505676.tif 000029
【図７】
0005505676.tif 000030
【図８】
0005505676.tif 000031
【図９】
0005505676.tif 000032
【図１０】
0005505676.tif 000033
【図１１】
0005505676.tif 000034
【図１２】
0005505676.tif 000035
【図１３】
0005505676.tif 000036
【図１４】
0005505676.tif 000037
【図１５】
0005505676.tif 000038